(57)【要約】【課題】本発明は上部の口部材を一体形成した収納容器本体を用いて液体化粧料の漏れを確実に防止するとともに、内面のポリエステル系樹脂層によって、収納容器本体内に収納された液体化粧料によって腐食が発生するのも確実に防止することができる、低コストの液体化粧料の収納容器を得るにある。【解決手段】アルミニウム板あるいはアルミニウム合金板にポリエステル系樹脂層が形成されたアルミニウム板材を、ポリエステル系樹脂層が内面となるようにプレス加工して液体化粧料を収納できる有底筒状で上部の口部材の外周部に蓋嵌合部が一体形成された収納容器本体と、この収納容器本体の蓋嵌合部と着脱可能に嵌合して該収納容器本体の口部材の開口部を開閉する蓋と、この蓋に収納容器本体内に収納できるように取付けられた先端部に塗布ブラシを有する塗布軸と、収納容器本体の上部の口部材に取付けられた塗布軸の外面を拭くことができるシゴキ部材とで液体化粧料の収納容器を構成している。【選択図】  図１
2004173766.tif 000002
【特許請求の範囲】
【請求項１】
アルミニウム板あるいはアルミニウム合金板にポリエステル系樹脂層が形成されたアルミニウム板材を、ポリエステル系樹脂層が内面となるようにプレス加工して液体化粧料を収納できる有底筒状で、上部の口部材の外周部に蓋嵌合部が一体形成された収納容器本体と、この収納容器本体の蓋嵌合部と着脱可能に嵌合して、該収納容器本体の口部材の開口部を開閉する蓋と、この蓋に前記収納容器本体内に収納できるように取付けられた先端部に塗布ブラシを有する塗布軸と、前記収納容器本体の上部の口部材に取付けられた、前記塗布軸の外面を拭くことができるシゴキ部材とからなることを特徴とする液体化粧料の収納容器。
【請求項２】
アルミニウム板あるいはアルミニウム合金板にポリエチレンテレフタレートフィルムを貼着したアルミニウム板材を、ポリエチレンテレフタレートフィルムが内面となるようにプレス加工して液体化粧料を収納できる有底筒状で、上部の口部材および該口部材の外周部に蓋嵌合部が一体形成された収納容器本体と、この収納容器本体の蓋嵌合部と着脱可能に嵌合して、該収納容器本体の口部材の開口部を開閉する蓋と、この蓋に前記収納容器本体内に収納できるように取付けられた先端部に塗布ブラシを有する塗布軸と、前記収納容器本体の上部の口部材に取付けられた、前記塗布軸の外面を拭くことができるシゴキ部材とからなることを特徴とする液体化粧料の収納容器。
【発明の詳細な説明】
【０００１】
【発明の属する技術分野】
本発明はアイライナー、マスカラ、マニキュア等の液体化粧料を収納する液体化粧料の収納容器に関する。
【０００２】
【従来の技術】
従来のマスカラ等の収納容器は、金属材製の上部開口の収納容器本体と、この収納容器本体の開口部を覆うように嵌合固定される嵌合部および、該嵌合部の上部外周部にキャップ嵌合部が形成された合成樹脂材製の口部材と、この口部材の嵌合部に取付けられた、該口部材と前記収納容器本体との間の隙間を覆うパッキングと、前記口部材のキャップ嵌合部と着脱可能に嵌合する、該口部材より前記収納容器本体内に収納される棒状の塗布具が取付けられたキャップとで構成されている。
【０００３】
【発明が解決しようとする課題】
従来のマスカラ等の収納容器は、収納容器本体と口部材との間からマスカラ等が漏れるのを防止するためにパッキングを用いているため、その取付けに手数がかかるとともに、部品点数が増し、コスト高になるという欠点があるとともに、収納する液体化粧料によって、金属材製の収納容器本体に腐食が発生するという欠点があった。
【０００４】
本発明は以上のような従来の欠点に鑑み、上部の口部材を一体形成した収納容器本体を用いて液体化粧料の漏れを確実に防止するとともに、内面のポリエステル系樹脂層によって、収納容器本体内に収納された液体化粧料によって腐食が発生するのも確実に防止することができる、低コストの液体化粧料の収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はアルミニウム板あるいはアルミニウム合金板にポリエステル系樹脂層が形成されたアルミニウム板材を、ポリエステル系樹脂層が内面となるようにプレス加工して液体化粧料を収納できる有底筒状で、上部の口部材の外周部に蓋嵌合部が一体形成された収納容器本体と、この収納容器本体の蓋嵌合部と着脱可能に嵌合して、該収納容器本体の口部材の開口部を開閉する蓋と、この蓋に前記収納容器本体内に収納できるように取付けられた先端部に塗布ブラシを有する塗布軸と、前記収納容器本体の上部の口部材に取付けられた、前記塗布軸の外面を拭くことができるシゴキ部材とで液体化粧料の収納容器を構成している。
【０００７】
【発明の実施の形態】
以下、図面に示す実施の形態により、本発明を詳細に説明する。
【０００８】
図１ないし図４に示す本発明の第１の実施の形態において、１はマスカラ等の液体化粧料２を収納する本発明の液体化粧料の収納容器で、この液体化粧料の収納容器１はアルミニウム板あるいはアルミニウム合金板３の一側面にポリエステル系樹脂層４を形成したアルミニウム板材５をポリエステル系樹脂層４が内面となるようにプレス加工して液体化粧料２を収納のできる有底筒状で、上部の口部材６および該口部材６の外周部にねじ状の蓋嵌合部７が一体形成された収納容器本体８と、この収納容器本体８の蓋嵌合部７と着脱可能に嵌合して、該収納容器本体８の口部材６の開口部６ａを開閉する蓋９と、この蓋９に前記収納容器本体８内に収納できるように取付けられた先端部に塗布ブラシ１０を有する塗布軸１１と、前記収納容器本体８の上部の口部材６に嵌合固定あるいは接着剤等で固定された、前記塗布軸１１の外面を扱くことができるシゴキ部材１２とで構成されている。
【０００９】
上記構成の液体化粧料の収納容器１は収納容器本体８が一体形成されているため、口部材６の開口部６ａ以外からの漏れを確実に阻止することができるとともに、内面がポリエステル系樹脂層４で覆われているため、収納される液体化粧料２によって腐食が発生するのを確実に防止することができる。
なお、前記ポリエステル系樹脂層４を形成するポリエステル系樹脂は、例えばエチレングリコールを７０ないし９９質量％含む多価アルコールと、テレフタル酸を７０ないし９９質量％含む多価カルボン酸とを縮合させたものが使用されている。
【００１０】
【発明の異なる実施の形態】
次に、図５ないし図１０に示す本発明の異なる実施の形態につき説明する。なお、これらの本発明の異なる実施の形態の説明に当って、前記本発明の第１の実施の形態と同一構成部分には同一符号を付して重複する説明を省略する。
【００１１】
図５ないし図７に示す本発明の第２の実施の形態において、前記本発明の第１の実施の形態と主に異なる点は、口部材６の外周部に複数個の嵌合突起７ａ、７ａ、７ａで蓋嵌合部７Ａを形成した収納容器本体８Ａを用いた点で、このように形成した収納容器本体８Ａを用いて構成した液体化粧料の収納容器１Ａにしても、前記本発明の第１の実施の形態と同様な作用効果が得られる。
【００１２】
図８ないし図１０に示す本発明の第３の実施の形態において、前記本発明の第１の実施の形態と主に異なる点は、アルミニウム板あるいはアルミニウム合金板の一側面にポリエチレンテレフタレートフィルム１３を貼着したアルミニウム板材５Ａを用いて収納容器本体８Ｂを形成した点で、このように形成した収納容器本体８Ｂを用いて構成した液体化粧料の収納容器１Ｂにしても、前記本発明の第１の実施の形態と同様な作用効果が得られる。
【００１３】
【発明の効果】
以上の説明から明らかなように、本発明にあっては次に列挙する効果が得られる。
【００１４】
（１）アルミニウム板あるいはアルミニウム合金板にポリエステル系樹脂層が形成されたアルミニウム板材を、ポリエステル系樹脂層が内面となるようにプレス加工して液体化粧料を収納できる有底筒状で、上部の口部材の外周部に蓋嵌合部が一体形成された収納容器本体と、この収納容器本体の蓋嵌合部と着脱可能に嵌合して、該収納容器本体の口部材の開口部を開閉する蓋と、この蓋に前記収納容器本体内に収納できるように取付けられた先端部に塗布ブラシを有する塗布軸と、前記収納容器本体の上部の口部材に取付けられた、前記塗布軸の外面を拭くことができるシゴキ部材とで構成されているので、従来のように口部材の取付部から収納した液体化粧料が漏れるのを確実に防止することができる。
したがって、品質の向上を図ることができる。
【００１５】
（２）前記（１）によって、収納容器本体の内面はポリエステル系樹脂層であるので、収納した液体化粧料によって腐食が発生するのを確実に防止できる。
したがって、長期間安全に使用することができる。
【００１６】
（３）前記（１）によって、収納容器本体を従来のものと差し替えるだけでよいので、比較的容易に実施することができる。
【００１７】
（４）請求項２も前記（１）〜（３）と同様な効果が得られる。
【図面の簡単な説明】
【図１】本発明の第１の実施の形態の縦断面図。
【図２】本発明の第１の実施の形態の蓋を外した状態の一部破断面図。
【図３】本発明の第１の実施の形態の収納容器本体の縦断面図。
【図４】本発明の第１の実施の形態の収納容器本体の平面図。
【図５】本発明の第２の実施の形態の縦断面図。
【図６】本発明の第２の実施の形態の蓋を外した状態の一部破断面図。
【図７】本発明の第２の実施の形態の収納容器本体の平面図。
【図８】本発明の第３の実施の形態の縦断面図。
【図９】本発明の第３の実施の形態の蓋を外した状態の一部破断面図。
【図１０】本発明の第３の実施の形態の収納容器本体の一部破断正面図。
【符号の説明】
１、１Ａ、１Ｂ：液体化粧料の収納容器、
２：液体化粧料、
３：アルミニウム板あるいはアルミニウム合金板、
４：ポリエステル系樹脂層、
５、５Ａ：アルミニウム板材、
６：口部材、            ７、７Ａ：蓋嵌合部、
８、８Ａ、８Ｂ：収納容器本体、
９：蓋、                １０：塗布ブラシ、
１１：塗布軸、          １２：シゴキ部材、
１３：ポリエチレンテレフタレートフィルム。
【図１】
2004173766.tif 000003
【図２】
2004173766.tif 000004
【図３】
2004173766.tif 000005
【図４】
2004173766.tif 000006
【図５】
2004173766.tif 000007
【図６】
2004173766.tif 000008
【図７】
2004173766.tif 000009
【図８】
2004173766.tif 000010
【図９】
2004173766.tif 000011
【図１０】
2004173766.tif 000012